(57)【要約】【課題】ジャンル情報が階層構造をしているＥＰＧにおいて、下位層のジャンル情報を用いて色分け表示を行うことを可能とした放送受信装置を提供する。【解決手段】本発明のデジタル放送受信装置の制御部は、電子番組情報より番組のジャンルを示す大分類ジャンルと、大分類ジャンルをさらに詳細なジャンルに細分化した中分類ジャンルとからなる階層分野情報を取得する分野情報取得部、及び大分類ジャンルの指定を受け付け、指定された大分類ジャンルと一致するジャンルの番組を電子番組情報表示画面において強調表示する第一強調部を備えている。さらに制御部は、第一強調部による強調表示が行われている状態において、強調表示されている大分類ジャンルに含まれる中分類ジャンルの指定を受け付け、指定された中分類ジャンルに一致するジャンルの番組を電子番組情報表示画面において強調表示する第二強調部を備えている。【選択図】図１
2009081546.tif 000002
【特許請求の範囲】
【請求項１】
テレビ放送信号を受信する放送受信手段と、
テレビ放送信号より電子番組情報を取得する電子番組情報取得手段と、
前記電子番組情報を表示装置に表示するための画像信号を生成する画像信号重畳手段と、
前記電子番組情報より、番組の分野を示す第一分野情報と、前記第一分野情報を細分化した下位の分野情報である第二分野情報とからなる階層分野情報を取得する分野情報取得手段と、
前記第一分野情報の指定を受け付け、指定された前記第一分野情報と一致する分野の番組を前記画像信号重畳手段により強調表示する第一強調手段と、
を備えたデジタル放送受信装置において、
前記第一強調手段による強調表示が行われている状態において、指定された前記第一分野情報の下位に存在する前記第二分野情報の指定を受け付け、指定された前記第二分野情報に一致する分野の番組を強調表示する第二強調手段
を備えたことを特徴とするデジタル放送受信装置。
【請求項２】
前記第二強調手段が、前記第二分野情報の指定を受け付けた際に、指定された前記第二分野情報に一致しない分野の番組の強調表示を停止することを前記第一強調手段に対して指示すること
を特徴とする請求項１に記載のデジタル放送受信装置。
【請求項３】
前記第一分野情報及び前記第二分野情報を含む分野情報テーブルを記録した記録部を備え、
前記第一強調手段及び前記第二強調手段が、前記階層分野情報として前記放送信号に含まれているコンテント記述子を取得し、前記コンテント記述子と前記分野情報テーブルとを照合することにより、前記第一分野情報及び前記第二分野情報に一致する分野の番組を判別すること
を特徴とする請求項１又は請求項２に記載のデジタル放送受信装置。
【発明の詳細な説明】
【技術分野】
【０００１】
本発明は、デジタル放送の受信が可能なデジタル放送受信装置に関するものであり、特に放送番組の情報を示すＥＰＧ（Electronic Program Guide＝電子番組情報）表示機能を備えたデジタル放送受信装置に関する。
【背景技術】
【０００２】
近年、地上波デジタル放送等のデジタル放送を受信するための装置として、デジタルテレビジョン装置やデジタルチューナ等が広く普及している。これらデジタル放送受信装置の機能の一つとして、ＥＰＧ表示機能が存在する。
【０００３】
ＥＰＧ表示機能とは、液晶モニタ等の表示装置の画面にテレビ放送の番組表を表示する機能である。ＥＰＧを表示するためのデータ（以下、「ＥＰＧデータ」という）は、アナログ放送であればＶＢＩ（Vertical Blanking Interval＝垂直帰線消去期間）の放送信号に重畳されて送信される。またデジタル放送であれば、ＴＳ（Transport Stream）伝送方式において、所定のパケット識別子を持つＴＳパケットに含まれて送信される。
【０００４】
ＴＳに含まれる付加情報の一つに、ＳＩ（Service Information）と呼ばれる情報が存在する。ＳＩには複数の種類があり、その一つであるＳＤＴ（Service Description Table）には、委託放送事業者名等の、チャンネルに関する情報が記録されている。ＳＤＴの中には、各番組のジャンル（＝分野）を記述したＣＤ（Content Descriptor＝コンテント記述子）が含まれている。コンテント記述子を用いれば、例えばＥＰＧ表示画面において、番組をジャンル毎に色分けして強調表示することが可能である。
【０００５】
上記に関連して特許文献１では、一日分の電子番組情報を一度に表示装置に表示可能とした電子番組情報表示装置が開示されている。この電子番組情報表示装置は、一覧表示された電子番組表に示される番組をジャンル毎に色分け表示させる色分け表示手段を備えている。
【０００６】
また上記に関連して特許文献２では、簡単な操作により迅速に希望の番組を探し出すことが可能な電子番組ガイド表示装置が開示されている。この電子番組ガイド表示装置は、番組情報を時間軸の広範囲及びチャンネル軸の広範囲にわたって表示する際に、各番組がジャンル毎に設定された色によって識別可能な態様で番組情報を表示する。
【特許文献１】特開２００７−１１６３８４号公報
【特許文献２】特開２００１−２３８１４４号公報
【発明の開示】
【発明が解決しようとする課題】
【０００７】
しかしながら、従来の表示装置は、電子番組表に含まれる各番組をジャンル毎に色分けして表示することが可能であったが、ジャンル情報が階層構造をしている場合は、最上位層のジャンルに基づいた強調表示（＝色分け表示）しかできないという問題があった。
【０００８】
例えば地上デジタル放送においては、ＳＤＴに含まれるコンテント記述子の仕様があらかじめ定められている。コンテント記述子は、図９に示すように、content_nibble_level_1と呼ばれる大分類（＝第一分野情報）と、content_nibble_level_2と呼ばれる中分類（＝第二分野情報）との二層構造のジャンル情報を保持している。しかしながら従来の表示装置では、大分類に含まれるジャンルの指定によるＥＰＧの強調表示を行うことは可能であったが、中分類に含まれるジャンルの指定によるＥＰＧの強調表示ができないという問題があった。
【０００９】
本発明は、上記の問題を鑑みてなされたものであり、ジャンル情報が階層構造をしている場合において、上位層のジャンル情報だけではなく、下位層のジャンル情報によってもＥＰＧに含まれる番組情報の強調表示を行うことを可能とした放送受信装置を提供することを目的とする。
【課題を解決するための手段】
【００１０】
上記目的を達成するために本発明のデジタル放送受信装置は、テレビ放送信号を受信する放送受信手段と、テレビ放送信号より電子番組情報を取得する電子番組情報取得手段と、前記電子番組情報を表示装置に表示するための画像信号を生成する画像信号重畳手段と、前記電子番組情報より、番組の分野を示す第一分野情報と、前記第一分野情報を細分化した下位の分野情報である第二分野情報とからなる階層分野情報を取得する分野情報取得手段と、前記第一分野情報の指定を受け付け、指定された前記第一分野情報と一致する分野の番組を前記画像信号重畳手段により強調表示する第一強調手段とを備えたデジタル放送受信装置において、前記第一強調手段による強調表示が行われている状態において、指定された前記第一分野情報の下位に存在する前記第二分野情報の指定を受け付け、指定された前記第二分野情報に一致する分野の番組を強調表示する第二強調手段を備えたことを特徴としている。
【００１１】
これによると、本発明のデジタル放送受信装置は、テレビ放送信号を受信するデジタルチューナ（＝放送受信手段）と、テレビ放送信号より電子番組情報を取得するデコーダ部（＝電子番組情報取得手段）と、電子番組情報を表示装置に表示するための画像信号を生成して他の映像信号に重畳するＯＳＤ処理部（＝画像信号重畳手段）とを備えている。
【００１２】
さらに、電子番組情報より番組のジャンル（＝分野）を示す大分類ジャンル（＝第一分野情報）と、大分類ジャンルをさらに詳細なジャンルに細分化した中分類ジャンル（＝第二分野情報）とからなる階層分野情報を取得する分野情報取得部（＝分野情報取得手段）、及び大分類ジャンルの指定を受け付け、指定された大分類ジャンルと一致するジャンルの番組を電子番組情報表示画面において強調表示する第一強調部（＝第一強調手段）を含む制御部を備えている。
【００１３】
さらに制御部は、第一強調部による強調表示が行われている状態において、強調表示されている大分類ジャンルに含まれる中分類ジャンルの指定を受け付け、指定された中分類ジャンルに一致するジャンルの番組を電子番組情報表示画面において強調表示する第二強調部（＝第二強調手段）を備えている。これにより、大分類ジャンル、及び中分類ジャンルの両方の指定により、ユーザの好みのジャンルの番組のみを強調表示することができる。
【００１４】
また、上記目的を達成するために本発明のデジタル放送受信装置は、前記第二強調手段が、前記第二分野情報の指定を受け付けた際に、指定された前記第二分野情報に一致しない分野の番組の強調表示を停止することを前記第一強調手段に対して指示することを特徴としている。
【００１５】
これによると、本発明のデジタル放送受信装置は、第一強調部による強調表示が行われている状態において第二強調部が中部類ジャンルの指定を受け付けた際に、指定された中分類ジャンルに一致しないジャンルの番組の強調表示を停止することを第一強調部に対して指示する。これにより、大分類ジャンルは一致するが中分類ジャンルは一致しない番組は通常表示されるため、ユーザの好みのジャンルの番組のみを強調表示することができる。
【００１６】
また、上記目的を達成するために本発明のデジタル放送受信装置は、前記第一分野情報及び前記第二分野情報を含む分野情報テーブルを記録した記録部を備え、前記第一強調手段及び前記第二強調手段が、前記階層分野情報として前記放送信号に含まれているコンテント記述子を取得し、前記コンテント記述子と前記分野情報テーブルとを照合することにより、前記第一分野情報及び前記第二分野情報に一致する分野の番組を判別することを特徴としている。
【００１７】
これによると、本発明のデジタル放送受信装置は、全ての大分類ジャンル及び中分類ジャンルを階層的に示した分野情報テーブルを記録した記録部を備えている。また第一強調部及び第二強調部は、デジタル放送信号に含まれているコンテント記述子を、階層分野情報として取得する。そして取得したコンテント記述子と分野情報テーブルとを照合することにより、どの番組が指定された大分類ジャンル及び中分類ジャンルと一致するかの判別を行う。
【発明の効果】
【００１８】
本発明によれば、大分類ジャンルの指定による強調表示が行われている状態において、大分類ジャンルに含まれる中分類ジャンルの指定を受け付け、指定された中分類ジャンルに一致するジャンルの番組を電子番組情報表示画面において強調表示する。これにより、大分類ジャンル、及び中分類ジャンルの両方の指定により、ユーザの好みのジャンルの番組のみを強調表示することができる。このため、従来のように大分類ジャンルのみの指定による強調表示と比較して、より細かなジャンル指定による強調表示を行うことができるため、ユーザの利便性が向上する。
【００１９】
また本発明によれば、中部類ジャンルの指定を受け付けた際に、指定された中分類ジャンルに一致しないジャンルの番組の強調表示を停止する。これにより、大分類ジャンルは一致するが中分類ジャンルは一致しない番組は通常表示される。このため、ユーザの好みのジャンルの番組のみを強調表示することができ、より見やすい電子番組情報表示画面を提供することができる。
【００２０】
また本発明によれば、第一強調部及び第二強調部が、デジタル放送信号に含まれているコンテント記述子と、記録部に記録されている分野情報テーブルとを照合することにより、どの番組が指定された大分類ジャンル及び中分類ジャンルと一致するかの判別を行う。このため、デジタル放送信号に含まれる情報を用いて、容易且つ確実に番組毎のジャンルを判別して強調表示を行うことができる。
【発明を実施するための最良の形態】
【００２１】
以下に本発明の実施形態を、図面を参照しながら説明する。なお、ここで示す実施形態は一例であり、本発明はここに示す実施形態に限定されるものではない。
【００２２】
〈１．内部構成について〉
図２は、本発明に係るテレビジョン装置１（＝デジタル放送受信装置）を示すブロック構成図である。テレビジョン装置１は、少なくとも、制御部１１、メモリ１２、フラッシュメモリ１３（＝記録部）、チューナ１４（＝放送受信手段）、信号処理部１５、デコーダ部１６（＝電子番組情報取得手段）、音声回路１７、スピーカ１８、ＯＳＤ処理部１９（＝画像信号重畳手段）、モニタ２０、操作ボタン群２１、及びリモコン受信部２２を含むように構成されている。また外部装置として、リモコン６０を備えている。
【００２３】
制御部１１は、テレビジョン装置１におけるテレビ放送受信処理を統括制御するための中央処理装置である。また制御部１１は、各装置（例えばチューナ１４等）の制御やデータの計算、加工処理等を行う中枢部分となっている。また制御部１１は、フラッシュメモリ１３等に記録されている所定のプログラムを実行することにより、複数の機能部（図１のジャンル情報取得部１１ａ〜第二強調部１１ｃ）を実現することが可能である。なお、各機能部の詳細については後述する。
【００２４】
メモリ１２は、テレビジョン装置１が保持する各種データを一時的に記憶する媒体であり、例えば書込可能なＲＡＭ（Random Access Memory）等により構成されている。メモリ１２は、例えば制御部１１によって各種情報処理が行われる際の処理データや、ユーザから受けた指示命令等を一時的に記憶しておくためのバッファメモリとしての役割を持つ。
【００２５】
フラッシュメモリ１３は、書き換え可能であり、電源を切ってもデータが消えない不揮発性半導体メモリである。フラッシュメモリ１３はＥＥＰＲＯＭの一種であるが、ＥＥＰＲＯＭとは異なり１バイト単位の書き換えはできず、あらかじめブロック単位で消去してから書き込みを行う。本発明では、制御部１１が各機能部を実現するためのプログラムや、後述する分野情報テーブルを記録するのに用いられる。
【００２６】
チューナ１４は、テレビ放送の選局、及び高周波信号の受信を行うと共に、高周波信号の増幅及び周波数変換を行うことにより中間周波信号を得る。得られた中間周波信号は、次の信号処理部１５に与えられる。
【００２７】
信号処理部１５は、チューナ１４から入力された中間周波信号の増幅及び検波を行うことにより、ＭＰＥＧ２方式のデジタル伝送信号であるＴＳ（＝トランスポートストリーム）の取得を行う。なおＴＳとは、複数の番組の音声ＰＥＳ（Packetized Elementary Stream）、画像ＰＥＳ、及び付加情報を固定長のＴＳパケットに分割してつなぎ合わせたものである。取得されたＴＳは、デコーダ部１６へ与えられる。
【００２８】
デコーダ部１６は、信号処理部１５より与えられたＴＳをＴＳパケットに分割する。そしてＴＳパケットを番組毎に再結合することにより、音声・画像のＰＥＳを生成する。さらにＰＥＳを結合することにより、ＥＳ（Elementary Stream＝符号化された音声・画像データ）を生成する。さらにデコーダ部１６はＥＳの復号を行い、デジタル信号に変換する。復号により得られた音声デジタル信号は音声回路１７へ、画像デジタル信号はＯＳＤ処理部１９へ与えられる。
【００２９】
またデコーダ部１６は、ＴＳに含まれるＰＳＩ（Program Specific Information）やＳＩ（Service Information）といった付加情報の取得を行う。ＰＳＩは画像や音声とは別のＰＩＤ（＝パケット識別子）を持つＴＳパケットであり、ＴＳにどのような番組が存在し、ＴＳに含まれる各ＥＳがどの番組に属しているかを示す情報である。またＳＩは、ＰＳＩを拡張したものであり、主にＥＰＧに関する情報が含まれている。ＳＩには複数の種類があり、例えば番組の名称やジャンルを含むＳＤＴ等が存在する。デコーダ部１６は取得したこれらの付加情報を、制御部１１に与える。
【００３０】
音声回路１７は、デコーダ部１６より与えられた音声デジタル信号にＤ／Ａ変換及び増幅処理を行い、音声をスピーカ１８より出力する。
【００３１】
ＯＳＤ処理部１９は、メニュー画面等の画像を表示するための画像信号を生成し、デコーダ部１６より与えられた画像信号に重畳する。ＯＳＤ処理部１９は例えば、ＥＰＧの表示指示が発行された場合において、ＴＳより抽出されたＳＩ等を用いてＥＰＧ画像を表示するための画像信号を重畳する。重畳が行われた画像信号は原色信号に変換された後、モニタ２０に表示される。
【００３２】
操作ボタン群２１は、ユーザが選局指示や電源の起動／停止指示等の各種指示をテレビジョン装置１に対して行うためのものである。操作ボタン群２１により出力された指示は、制御部１１により受け付けられ、指示の内容に基づいて各種制御処理を行う。
【００３３】
リモコン受信部２２は、リモコン６０から送信される赤外線信号を受け付け、赤外線信号に含まれているリモコンコードを取得する。そしてリモコンコードに応じた制御指示を制御部１１に与える。リモコン６０はテレビジョン装置１を遠隔操作するための外部装置である。
【００３４】
〈２．機能部の構成について〉
ここで、本発明に係るテレビジョン装置１におけるＥＰＧ表示処理を実施するための各機能部の関係を、図１の機能ブロック図を用いながら説明する。
【００３５】
図１に示すように本発明のＥＰＧ表示処理は少なくとも、制御部１１が備えるジャンル情報取得部１１ａ（＝分野情報取得手段）、第一強調部１１ｂ（＝第一強調手段）、及び第二強調部１１ｃ（＝第二強調手段）と、メモリ１２と、信号処理部１５と、デコーダ部１６と、ＯＳＤ処理部１９と、モニタ２０と、操作ボタン群２１とにより実施される。
【００３６】
ジャンル情報取得部１１ａは、デコーダ部１５がＴＳより取得したＳＩの解析を行うことにより、現在受信中の番組毎のジャンル情報を取得する。具体的には、ＳＩの一種であるＳＤＴに含まれているコンテント記述子（＝階層分野情報）を用いて、番組毎のジャンル情報を取得する。そして取得したジャンル情報を、メモリ１２に記録する。
【００３７】
第一強調部１１ｂは、ユーザが操作ボタン群２１、或いはリモコン装置６０を操作することにより発行される大分類ジャンル指定指示を受け付ける。そして指定された大分類ジャンルに該当する番組を判別する。具体的にはメモリ１２に記録されている番組毎のコンテント記述子と、フラッシュメモリ１３に記録されている分野情報テーブルを照合することにより、指定された大分類ジャンルの番組を特定する。
【００３８】
さらに第一強調部１１ｂは、ＯＳＤ処理部１９に対して、ＥＰＧ画面において指定された大分類ジャンルの番組を強調表示するように指示する。強調表示の方法としては、例えば通常のＥＰＧ画面に用いられている背景色とは異なる色、例えば赤色や黄色等により該当番組名を表示する方法等があげられる。又はハイライト表示を行う形態であってもよい。
【００３９】
第二強調部１１ｃは、第一強調部１１ｂにより所定の大分類ジャンルの番組が強調表示されている状態において、指定されている大分類ジャンルに含まれる中分類ジャンルをＯＳＤ処理部１９によりＥＰＧ画面に表示する。そして表示された中分類ジャンルの指定を受け付ける状態となる。中分類ジャンルが指定されると、指定されたジャンルに該当する番組を判別する。具体的には、大分類ジャンルの場合と同様、メモリ１２に記録されている番組毎のコンテント記述子と、フラッシュメモリ１３に記録されている分野情報テーブルを照合することにより、指定された中分類ジャンルの番組を特定する。
【００４０】
これにより第二強調部１１ｃは、ＯＳＤ処理部１９に対して、ＥＰＧ画面において指定された中分類ジャンルの番組を強調表示するように指示する。さらに、中分類ジャンルが該当しない番組の強調表示を行わないように、第一強調部１１ｂに指示する。
【００４１】
〈３．分野情報テーブルの構成について〉
ここで、本発明のテレビジョン装置１がＥＰＧ表示処理に用いる分野情報テーブルの構成について、図８及び図９のテーブル図を用いながら説明する。
【００４２】
図８は、分野情報テーブルに含まれる大分類ジャンルの一覧を示したテーブル図である。図８に示すように、大分類ジャンルには「ニュース／報道」〜「福祉」までの１２種類のジャンルが存在する。また図９は、大分類ジャンルをさらに細分化した中分類ジャンルの一部を示したテーブル図である。図９に示す例では、大分類が「ニュース／報道」、「スポーツ」、及び「情報／ワイドショー」であるジャンルの中分類ジャンルが示されている。
【００４３】
例えば大分類ジャンルが「ニュース／報道」である番組は、さらに「定時・総合」〜「その他」までの１２種類の中分類ジャンルに分類することができる。各番組のＳＤＴが保持するコンテント記述子にはcontent_nibble_level_1とcontent_nibble_level_2との値が含まれており、この値と分野情報テーブルとを比較することにより、番組のジャンルを一意に特定する。例えばcontent_nibble_level_1の値が０ｘ０であり、content_nibble_level_2の値が０ｘ６である番組は大分類ジャンルが「ニュース／報道」、中分類ジャンルが「解説」であると判別される。
【００４４】
〈４．ＥＰＧ表示画面について〉
ここで、本発明のテレビジョン装置１のＯＳＤ処理部１９により表示されるＥＰＧ表示画面について、図４〜図７、図１０、及び図１１の画面図と、図８及び図９のテーブル図を用いながら説明する。
【００４５】
図４〜図７は、ＯＳＤ処理部１９により生成されるＥＰＧ表示画面から、ＥＰＧの一部を抜き出したものである。図４〜図７に示す例では、４Ｃｈ〜１０Ｃｈの四チャンネルと、６時〜１０時までの五時間分のＥＰＧが含まれている。各チャンネル欄の右側には、放送予定番組の番組名が時間単位で表示されている。
【００４６】
図４は、ユーザによるジャンル指定がなされていない状態のＥＰＧを示している。この状態においては、全ての番組欄の背景色が通常色（＝白色）で表示されている。この状態において大分類ジャンル指定が行われると、図５、及び図６に示す状態となる。図５は、大分類ジャンルとしてニュース／報道（＝図８の０ｘ０）が指定された場合のＥＰＧを示している。これにより、ジャンルがニュースに該当する番組、図５の例では８Ｃｈで７時から放送される「ニュース」の背景色が変化し、強調表示が行われている。
【００４７】
また図６は、大分類としてスポーツ（＝図８の０ｘ１）が指定された場合のＥＰＧを示している。これにより、ジャンルがスポーツに該当する番組、図６の例では４Ｃｈで６時から放送される「野球」、６Ｃｈで６時から放送される「サッカー」、及び１０Ｃｈで６時から放送される「格闘技」の背景色が変化し、強調表示が行われている。
【００４８】
また、図７は、図６の状態において中分類ジャンル指定が行われた際のＥＰＧを示している。図７においては、大分類ジャンルとしてスポーツが指定され、さらに中分類として野球（＝図９の０ｘ０の下位層の０ｘ１）が指定された場合を示している。これにより、大分類ジャンルがスポーツであり、且つ中分類ジャンルが野球である番組、図７の例では４Ｃｈで６時から放送される「野球」の背景色が変化し、強調表示が行われている。
【００４９】
なお、大分類ジャンルがスポーツであり、且つ中分類ジャンルが野球ではない番組、図７の例では６Ｃｈで６時から放送される「サッカー」、及び１０Ｃｈで６時から放送される「格闘技」は強調表示が行われず、通常表示となる。
【００５０】
図１０及び図１１は、上記図４〜図７のＥＰＧが表示されるＥＰＧ表示画面５０の一例を示した画面図である。図１０及び図１１に示すＥＰＧ表示画面５０は少なくとも、ＥＰＧ５１、及び中分類表示部５２を含むように構成されている。ＥＰＧ５１は、ユーザが操作ボタン群２１等によりジャンル指定を行うことにより、該当するジャンルの番組を図５〜図７に示すように強調表示する。中分類表示部５２は、大分類ジャンルが指定された状態において、指定されている大分類ジャンルに含まれる中分類ジャンルを表示する。
【００５１】
図１０は、大分類ジャンルとして「スポーツ」が選択された場合のＥＰＧ表示画面５０を示している。この状態においては、ＥＰＧ５１においてジャンルが「スポーツ」である番組が強調表示されている。あわせて中分類表示部５２には、大分類ジャンル「スポーツ」に含まれる中分類ジャンルである「スポーツニュース」や「サッカー」等が一覧表示されている。
【００５２】
図１０に示すＥＰＧ表示画面５０において中分類ジャンルの番号が指定されると、指定された番号の中分類ジャンルに該当する番組のみが強調表示され、図１１に示す状態となる。図１１は、中分類表示部５２に表示されている「２．野球」が選択された場合のＥＰＧ表示画面５０を示している。なお番号の指定は、操作ボタン群２１に含まれる数字ボタンを押下すること等により行われる。さらに、図１１に示す状態において中分類ジャンルの指定が行うことにより、強調表示する番組の中分類ジャンルを切り替えたり、或いは大分類ジャンルの指定による強調表示状態（＝図１０に示す状態）に再び移行させることも可能である。
【００５３】
〈５．強調表示処理について〉
ここで、本発明のテレビジョン装置１におけるＥＰＧ強調表示処理を、図１及び図２のブロック図と、図３のフロー図と、図１０及び図１１の画面図とを用いながら説明する。
【００５４】
図３は、本発明のＥＰＧ強調表示処理の処理フローを示したフローチャートである。図１に示すように本処理は、制御部１１がＥＰＧの表示命令を検知することにより開始される。なおＥＰＧの表示命令は例えば、操作ボタン群２１に含まれるＥＰＧ表示ボタンが押下された場合等に発行される。
【００５５】
ＥＰＧの表示命令を検知した制御部１１は、デコーダ部１６より与えられるＥＰＧデータを、ＯＳＤ処理部１９によりモニタ２０に表示する。これによりモニタ２０には、ＥＰＧ表示画面５０が表示される。次に第一強調部１１ｂはステップＳ１１０において、ＥＰＧ表示開始から所定時間内に大分類ジャンルの選択指示を検知したかどうかの判定を行う。大分類ジャンルの選択指示を検知しなかった場合、ＥＰＧ表示画面５０の表示を停止して本処理を終了する。
【００５６】
所定時間内に選択指示を検知した場合、第一強調部１１ｂはステップＳ１２０において、指示された大分類ジャンルに該当する番組を、メモリ１２に記録されている番組毎のコンテント記述子、及びフラッシュメモリ１３に記録されている分野情報テーブルを用いて判別する。
【００５７】
次に第一強調部１１ｂはステップＳ１３０において、指定された大分類ジャンルに該当する番組をＥＰＧ５１において強調表示するよう、ＯＳＤ処理部１９に指示を与える。この結果、例えば図１０に示すように、大分類ジャンルが「スポーツ」である番組が強調表示される。
【００５８】
次に第二強調部１１ｃはステップＳ１４０において、指定された大分類ジャンルに含まれる中分類ジャンルの一覧を、ＯＳＤ処理部１９を用いて表示する。この結果、例えば図１０に示すように、中分類表示部５２に大分類ジャンル「スポーツ」に含まれる中分類ジャンルである「スポーツニュース」等が表示される。これによりユーザは操作ボタン群２１を用いて番号を選択することにより、中分類ジャンルを指定することが可能となる。
【００５９】
次に第二強調部１１ｃはステップＳ１５０において、中分類表示部５２による中分類の表示開始から所定時間内に中分類ジャンルの選択指示を検知したかどうかの判定を行う。中分類ジャンルの選択指示を検知しなかった場合、ＥＰＧ表示画面５０の表示を停止して本処理を終了する。
【００６０】
所定時間内に選択指示を検知した場合、第二強調部１１ｃはステップＳ１６０において、指示された中分類ジャンルに該当する番組を、メモリ１２に記録されている番組毎のコンテント記述子、及びフラッシュメモリ１３に記録されている分野情報テーブルを用いて判別する。
【００６１】
次に第二強調部１１ｃはステップＳ１７０において、中分類ジャンルに該当する番組をＥＰＧ５１において強調表示するよう、ＯＳＤ処理部１９に指示を与える。またステップＳ１８０において、中分類ジャンルが該当しない番組の強調表示を停止するよう、ＯＳＤ処理部１９に指示を与える。この結果、例えば図１１に示すように、大分類ジャンルがスポーツである番組のうち、中分類ジャンルが「２．野球」である番組のみが強調表示された状態となる。
【００６２】
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【００６３】
従って本発明は、以下の形態にも適用可能である。
（Ａ）本実施形態では、デジタル放送受信装置としてテレビジョン装置１を例にあげているが、デジタルチューナを備えたこれ以外のデジタル放送受信装置を用いて本発明を実施する形態でもよい。例えば、チューナ内蔵ＤＶＤレコーダ、ＳＴＢ（Set Top Box)、パソコン、携帯電話等を用いて実施する形態であってもよい。
【００６４】
（Ｂ）本実施形態では、強調表示処理に関わる各種機能部が、マイクロプロセッサ等の演算処理装置上でプログラムを実行することにより実現されているが、各種機能部が複数の回路により実現される形態でもよい。
【００６５】
（Ｃ）本実施形態では、大分類ジャンルは一致するが中分類ジャンルが一致しない番組の強調表示を停止しているが、これを停止しない形態でもよい。この場合例えば、大分類ジャンルによる強調表示と、中分類ジャンルによる強調表示とで強調表示色を変える等により、どちらのジャンルの一致により強調表示が行われているのかを視覚的に判別できるようにすることが可能である。
【００６６】
（Ｄ）本実施形態では、ジャンルが一致する番組の強調表示方法として番組名の背景色を変化させることにより強調表示を行っているが、これ以外の方法により強調表示を行う形態であってもよい。例えば強調表示したい番組名をハイライト表示する形態でもよい。また或いは、強調表示したい番組名を通常表示し、それ以外の番組名を半透明表示することにより、強調表示を行う形態でもよい。
【図面の簡単な説明】
【００６７】
【図１】は、本発明の一実施形態に係るデジタル放送受信装置が備える機能部の構成を示す機能ブロック図である。
【図２】は、本発明の一実施形態に係るデジタル放送受信装置を示す構成図である。
【図３】は、本発明の一実施形態に係る強調表示処理の処理フローを示したフロー図である。
【図４】は、本発明の一実施形態に係るＥＰＧの一例を示した模式図である。
【図５】は、本発明の一実施形態に係るＥＰＧの一例を示した模式図である。
【図６】は、本発明の一実施形態に係るＥＰＧの一例を示した模式図である。
【図７】は、本発明の一実施形態に係るＥＰＧの一例を示した模式図である。
【図８】は、本発明の一実施形態に係る分野情報テーブルの一部を示したテーブル図である。
【図９】は、本発明の一実施形態に係る分野情報テーブルの一部を示したテーブル図である。
【図１０】は、本発明の一実施形態に係るＥＰＧ表示画面の一例を示した画面図である。
【図１１】は、本発明の一実施形態に係るＥＰＧ表示画面の一例を示した画面図である。
【符号の説明】
【００６８】
１      テレビジョン装置（デジタル放送受信装置）
１１    制御部
１１ａ  ジャンル情報取得部（分野情報取得手段）
１１ｂ  第一強調部（第一強調手段）
１１ｃ  第二強調部（第二強調手段）
１３    フラッシュメモリ（記録部）
１４    チューナ（放送受信手段）
１６    デコーダ部（電子番組情報取得手段）
１９    ＯＳＤ処理部（画像信号重畳手段）
【図１】
2009081546.tif 000003
【図２】
2009081546.tif 000004
【図３】
2009081546.tif 000005
【図４】
2009081546.tif 000006
【図５】
2009081546.tif 000007
【図６】
2009081546.tif 000008
【図７】
2009081546.tif 000009
【図８】
2009081546.tif 000010
【図９】
2009081546.tif 000011
【図１０】
2009081546.tif 000012
【図１１】
2009081546.tif 000013